(57)【要約】      （修正有）【課題】本考案では、優れた耐久性を有するとともに、両面におけるいずれの側の面から視ても優れた外観を有して、多様な商品形態に形成することができ、しかも、吸水性、柔軟性などの生地本来が有する特性を低下させることのない２層構造により形成したハンカチを提供する。【解決手段】正面視略同形に形成した２枚の生地１１，どうしを積層して、その積層した周縁部１０ａを縫着して２層構造に形成したハンカチ１０であって、周縁部１０ａ沿いにピコット１５を形成したハンカチ１０。【選択図】図１
0003115576.tif 000002
【実用新案登録請求の範囲】
【請求項１】
正面視略同形に形成した２枚の生地どうしを積層して、その積層した周縁部を一体に縫着して２層構造により形成したハンカチであって、
上記周縁部沿いにピコットを形成した
ハンカチ。
【請求項２】
前記２枚の生地における一方の側の生地をパイル生地により形成するとともに、他方の側の生地を綿織物により形成し、
一方の側の面、及び、他方の側の面に、それぞれ絵、模様、文字などの視認性を有するデザインをプリントにより施した
請求項１に記載のハンカチ。
【請求項３】
前記ピコットに用いる撚り糸を形成する少なくとも１本の単糸がラメ糸であることを特徴とする
請求項１又は請求項２に記載のハンカチ。
【考案の詳細な説明】
【技術分野】
【０００１】
この考案は、例えば、木綿とパイル生地など異なる肌触りを有する２枚の生地を組み合わせて形成したハンカチに関する。
【背景技術】
【０００２】
上述したようなハンカチ（「背景技術」において、２層ハンカチという）は、様々なものが既に商品化されている。  
例えば、上記２層ハンカチの中でも、積層する２枚の生地の組合せや、積層した２枚の生地を互いに縫着する箇所、縫着方法などに応じてそれぞれ形態が異なり、様々な形態をした２層ハンカチが存在する。
【０００３】
さらに、表面上にデザインが描かれた２層ハンカチについても、様々な形態のものが存在し、例えば、そのデザインは、刺繍やジャカードを施すことによって描かれたものや、アップリケを用いて切り張り刺繍を施すことによって描かれたものなどを挙げることができる。
【０００４】
このように多様な形態で形成される上記２層ハンカチの中でも、２枚の生地を積層し、その周縁部のみを縫着した構成を有するものに着目すると、例えば、下記特許文献１に開示されたニット製ハンカチが存在する。
【０００５】
下記特許文献１におけるニット製ハンカチは、上述したとおり、積層した２枚の生地の周縁部のみを一体に縫着することにより形成しているが、その周縁部は、薄手の生地をフリル状に縫着してレースを形成している。
【０００６】
下記特許文献１によれば、このように周縁部にレースを形成することにより、全体から、より高級感を醸し出すことができることは勿論、その他にも、２枚の生地を縫着した周縁部に、さらにレースを縫着することにより、該レースを縫着した部位が補強され、全体の保形力を高めることができる旨の開示がなされている（特許文献１中の段落番号［００１６］）。
【０００７】
ところで、下記特許文献１におけるニット製ハンカチを含め、通常、ハンカチは、御手洗い後の手拭や汗などを拭いたりする手拭として用いられるため、使用したその日には、衛生面上、水洗いすることが望ましいといえる。
【０００８】
しかし、このように頻繁に水洗いをした場合、レースは、それ自体が薄地であり、周縁部に対してフリル状に形成しているため、傷み易いという欠点を有するとともに、このようにレースをフリル状に形成すれば、レースに付着した汚れも目立ち易くなるため、逆に全体の外観を低下してしまうという欠点も有する。
【０００９】
また、下記特許文献１によれば、ハンカチの表面にレースや刺繍などのデザインを施した場合、良好な外観に形成することができる反面、肌触りが低下するという欠点を有することが指摘されている（特許文献１中の段落番号［０００４］）。
【００１０】
さらに、下記特許文献１によれば、このような欠点に対し、下記特許文献１におけるニット製ハンカチは、上記２枚の生地における一方の側の生地をニット編みにて編成することにより、ソフトな肌触りを実現でき、外観面も高級感を醸し出すことができる旨の記載がされている（特許文献１中の段落番号［００１８］）。
【００１１】
しかし、ハンカチ表面に刺繍を施さずに、該表面をニット編みにて編成することにより、確かに肌触りや吸水性が低下することを防止できるものの、ハンカチ表面をニット製生地にて形成したというだけでは、刺繍などを施した場合と比較して外観上、地味であり、商品の多様性も限定されるといった欠点も招来する。
【特許文献１】実用新案登録第３０６５４５２号公報
【考案の開示】
【考案が解決しようとする課題】
【００１２】
そこで本考案では、優れた耐久性を有するとともに、両面におけるいずれの側の面から視ても優れた外観を有して、多様な商品形態に形成することができ、しかも、吸水性、柔軟性などの生地本来が有する特性を低下させることのない２層構造により形成したハンカチの提供を目的とする。
【課題を解決するための手段】
【００１３】
本考案のハンカチは、正面視略同形に形成した２枚の生地どうしを積層して、その積層した周縁部を一体に縫着して２層構造により形成したハンカチであって、上記周縁部沿いにピコットを形成したことを特徴とする。
【００１４】
さらに、本考案のハンカチは、上記２枚の生地における一方の側の生地をパイル生地により形成するとともに、他方の側の生地を綿織物により形成し、一方の側の面、及び、他方の側の面に、それぞれ絵、模様、文字などの視認性を有するデザインをプリントにより施した形態であることが好ましい。
【００１５】
ここで、上記綿織物とは、例えば、ローン、ガーゼ、木綿をはじめ、その他にも、細布、サテン、ブロードなどの薄手の生地を示す。
【００１６】
さらに、上記デザインは、生地の面上に例えば、アニメのキャラクタや動物などの絵、模様、文字、或いは、これらを組み合わせたものなどの媒体を施したものを示す。
【００１７】
また、本考案のハンカチは、上記ピコットに用いる撚り糸を形成する少なくとも１本の単糸がラメ糸である形態であることが好ましい。
【考案の効果】
【００１８】
請求項１に記載の考案によれば、本考案に係るハンカチは、２枚の生地を積層し、その周縁部を縫着して一体に形成するに加えて、その周縁部に、ピコットを形成した形態を採る。  
このため、例えば、単に、２枚の生地を積層し、その周縁部を縫着して形成しただけのハンカチと比較して周縁部を補強できる。
【００１９】
さらに、例えば、周縁部に対して薄手の生地をフリル状に形成したレースの場合と比較して上記ピコットは、それ自体が優れた耐久性（強度）を有する。  
以上により、ハンカチ自体の耐久性を格段に向上させることができる。
【００２０】
しかも、ピコットは、それ自体が優れた装飾性を有するため、本考案に係るハンカチは、このようなピコットを周縁部沿いに形成することにより、全体を優れた外観とすることができる。
【００２１】
請求項２に記載の考案によれば、本考案に係るハンカチは、両側の面に、絵柄などの表現媒体をプリントする形態を採ることにより、いずれの側の面から視ても優れた外観に形成することができる。
【００２２】
従って、本考案に係るハンカチは、いずれの側の面をも表面として用いることができる。
【００２３】
また、本考案に係るハンカチのように、プリントすることによりデザインを施す形態を採れば、例えば、刺繍などによりデザインを施した場合のように、肌触りや吸水性が低下してしまうおそれもなく、生地本来が有する特性を活かすことができる。
【００２４】
さらに、プリントによりデザインを施した場合、例えば、刺繍によりデザインを施した場合のように生地の厚みが変化したり、表面に凹凸ができたりしない。このため、本考案に係るハンカチのように、たとえ両側の面に対してデザインを施しても、折り畳んだとき嵩張らず持ち運びも容易にできる。
【００２５】
その他にも、本考案に係るハンカチは、プリントによりデザインを施すことにより、刺繍による場合と比較して、商品コストを削減でき、パイル生地や、ガーゼなど特性の異なる様々な生地をプリントの対象とすることができるといった効果を奏する。
【００２６】
請求項３に記載の考案によれば、ピコットに用いる撚り糸を形成する少なくとも１本の単糸にラメ糸を用いて形成することにより、装飾性、視認性に優れたピコットを形成することができる。このような装飾性、視認性に優れたピコットが周縁部にかけて形成しているため、本考案に係るハンカチは、全体を優れた外観に形成することができる。
【考案を実施するための最良の形態】
【００２７】
この考案の一実施形態を、以下図面を用いて説明する。  
本実施形態におけるハンカチ１０は、図１、及び、図２に示したような外観で形成している。  
なお、図１は、一方の側の面Ｘを上方に向けて接地した状態の本実施形態におけるハンカチ１０を示し、図２は、他方の側の面Ｙを上方に向けて接地した状態の本実施形態におけるハンカチ１０を示す。
【００２８】
図１、及び、図２に示したように、本実施形態におけるハンカチ１０は、２枚の生地１１，１２を積層し、その積層した周縁部１０ａを一体に縫着した２層構造により形成している。  
なお、上記２枚の生地１１，１２は、いずれも略同一の大きさを有して形成するとともに正面視略矩形に形成している。そして、上記ハンカチ１０における周縁部１０ａ沿いには、ステッチ１３を形成している。
【００２９】
さらに、上記ハンカチ１０の一方の側の面Ｘ、すなわち、積層した２枚の生地１１，１２における一方の生地１１は、パイル生地（１１）により形成している。上記パイル生地（１１）は、その表面全体を剪毛（シャリング）して形成し、図３に示したように、毛羽２１を例えば、０．２ｍｍから１ｍｍ程度の略一定の長さに揃えて優れた吸水性を有して柔軟な手触りに形成している。
【００３０】
これに対して、上記ハンカチ１０の他方の側の面Ｙ、すなわち、積層した２枚の生地１１，１２における他方の生地１２は、ローン（１２）により、さらりとした肌触りに形成している。
【００３１】
また、上記ハンカチ１０における、いずれの側の面Ｘ，Ｙにも、表面全体に、それぞれ異なるデザイン１４（１４ａ，１４ｂ）がプリントによって描かれている（図１、図２参照）。
【００３２】
なお、上記ハンカチ１０における各面Ｘ，Ｙに描かれた上記デザイン１４は、例えば、キャラクタなどの絵、模様、文字などを用いて描かれているが、そのデザイン構成は、特に限定せず、本実施形態におけるハンカチ１０は、いずれの側の面Ｘ，Ｙを表面として用いることができるよう、ともに視認性を有している。
【００３３】
さらに、本実施形態におけるハンカチ１０は、上述したように、周縁部１０ａのみを一体に縫着して形成しているため、上記図３に示したように、上記周縁部１０ａに対して中央側に相当する部位については、２枚の生地１１，１２を厚み方向において互いに離間可能に形成している。
【００３４】
ちなみに、上記図３に示したように、パイル生地（１１）により形成した面Ｘにおける裏面側１１ｂ、すなわち、上記ハンカチ１０を２層構造に形成したとき、パイル生地（１１）における上記ローン（１２）と対向する側の面１１ｂにおいては、その表面全体にループ状のパイル２２を形成している。
【００３５】
また、本実施形態におけるハンカチ１０における周縁部１０ａ沿い、すなわち、ステッチ１３に対して外周側には、ピコット１５を形成している（図１，図２参照）。  
上記ピコット１５は、意匠糸１６を用いて形成し、図４（ａ）に示したように、上記意匠糸１６を、ステッチ１３沿いに断続的に縫着していき、一連のループ状の部位が形成されたデザインになるよう形成している。
【００３６】
また、上記意匠糸１６は、その長さ方向における各部位を部分的に太さを変更したり、リングを形成したりするなどして撚り糸１７によって形成している（図４（ａ）の要部拡大図参照）。
【００３７】
さらに、上記撚り糸１７は、３本の単糸１８に撚りをかけて形成しているが、該３本の撚り糸１７のうち１本の単糸１８に、金色のラメ糸１８ａ（金糸）を用いている。
【００３８】
このように形成したピコット１５は、断続的に金色のラメ糸１８ａを視認できるため、優れた装飾性を有して形成することができる（図４（ａ）参照）。
【００３９】
上述した形態により、本実施形態におけるハンカチ１０を形成しているが、以下では、本実施形態におけるハンカチ１０が奏することのできる作用、効果について説明する。
【００４０】
本実施形態におけるハンカチ１０は、その周縁部１０ａのみを縫着して形成しているため、上記ハンカチ１０のいずれの側の面X,Yにおける生地11,12表面には、縫着ラインが全く存在しない形態で形成することができる（図１，図２参照）。
【００４１】
これにより、肌触り、吸水性、柔軟性が低下することなく、生地１１，１２本来が有する、優れた性質を確保できる。また、生地１１，１２の表面上に縫着ラインが存在しないため、見た目上も優れた外観に形成することができる。
【００４２】
さらに、このように、周縁部１０ａのみを縫着する形態であっても、上述したように、周縁部１０ａにピコット１５を形成することにより、強度を補強でき、優れた耐久性で形成することができる。
【００４３】
具体的には、例えば、単に、２枚の生地Ｘ，Ｙの周縁部１０ａのみを縫着して２層構造により形成したハンカチは、使用し続けることにより、周縁部１０ａ（ステッチ（１３））の一部分の糸が解れたりして２枚の生地１１，１２が互いに分離してしまうという、一枚もののハンカチには存在しなかった２層構造特有の問題を有していた。
【００４４】
これに対して、本実施形態におけるハンカチ１０のように、上記形態に加えて、ピコット１５を形成することにより、意匠糸１６を周縁部１０ａ沿いに縫着することになるので、図４（ｂ）に示したように、重ね合わせた２枚の生地Ｘ，Ｙどうしの一体性を格段に高めることができる。
【００４５】
さらに、上記ピコット１５は、意匠糸１６により形成しているが、上記意匠糸１６は、長さ方向の各部位において撚り糸１７によってループなどを形成しながら形成しているため、ピコット１５自体が優れた耐久性を有する。  
このような、ピコット１５を周縁部１０ａ沿いに配することにより、周縁部１０ａが弛緩してしまうこともなく、さらに、例えば、周縁部１０ａ沿いに通常、薄手の生地によりフリル状に形成されるレースと比較しても、レースのように破れたりしてしまうこともなく、水洗いしても、傷んでしまうこともない。
【００４６】
また、ピコット１５は、上述したループ状の形態としたものを複数、周縁部１０ａ沿いに連続的に形成した形態を採り、ピコット15自体が優れたデザインを有するといえる。  
しかも、ピコット１５を形成する少なくとも１本の単糸１８にラメ糸18a（金糸）を用いて形成しているため、装飾性、視認性に優れたピコット１５を形成することができる。  
以上のようなピコット１５を周縁部１０ａ沿いに形成することにより、本実施形態に係るハンカチ１０は、全体を優れた外観とすることができる。
【００４７】
また、本実施形態におけるハンカチ１０は、上述したように、いずれの側の面Ｘ，Ｙにも、プリントにより視認性の高いデザイン１４を施しているため、いずれの側の面Ｘ，Ｙを表面として用いることができる。
【００４８】
具体的には、例えば、上記ハンカチ10の夏期での使用においては、さらりとした肌触りを有するローン（１２）で形成した他方の側の面Ｙを積極的に利用されることが想定される。この場合においても、上記ハンカチ１０は、他方の側の面Ｙ（ローン（１２）で形成した側の面）も一方の側の面Ｘ（パイル生地（１１）で形成した側の面）と同様に高い視認性を有したデザインを施しているため、他方の側の面Ｙを表面として積極的に用いても見た目上、違和感がなく用いることができる。
【００４９】
従って、本実施形態におけるハンカチ１０は、時期、用途などに応じていずれの側の面Ｘ，Ｙを表面とするか適宜、選択して用いることができる。
【００５０】
さらに、たとえハンカチ10における両側の面Ｘ，Ｙにデザイン１４を施す場合であっても、そのデザイン14をプリントにより描くことで、例えば、刺繍などを施す場合と比較して様々なデザイン１４を手軽に、且つ、低コストに描くことができる。
【００５１】
例えば、アニメなどのキャラクタを描いた場合は、子供用のハンカチ１０として用いることができる。このように、プリントにより手軽にデザイン１４を描くことができるため、老若男女を問わず本実施形態におけるハンカチ１０を使用することができ、多様な商品形態に形成することも可能になる。
【００５２】
さらに、たとえハンカチ１０における両側の面Ｘ，Ｙにデザイン１４を施す場合であっても、プリントにより描くことで、例えば、刺繍などを施した場合と比較して嵩張らず、吸水性、肌触りなどを低下させることもないという効果も奏することができる。
【００５３】
その他にも、本実施形態におけるハンカチ１０は、上記パイル生地（１１）の表面１１ａのみを毛羽状にする形態に加えて、内面１１ｂ側を、ループ状のパイル生地（１１）で形成しているため（図３参照）、優れた吸水性を有して形成することができる。
【００５４】
例えば、手拭後に吸収した水分をハンカチ１０の内部に積極的に吸収することができる。さらに、パイル生地（１１）と反対側の面Ｙに有する生地１２は、通気性に優れたローン（１２）により形成しているため、該ローン（１２）を通じてパイル生地（１１）の内面側に吸収した水分をすぐに乾燥させることができ、衛生的である。
【００５５】
上述したように、本実施形態におけるハンカチ１０は、様々な作用、効果を奏することができる。
【００５６】
また、本実施例に係るハンカチ１０は、勿論、上記構成に限らず、様々な構成により形成することができる。  
例えば、本実施例に係るハンカチ１０における一方の面Ｘに用いる生地１１は、上述したように、表面１１ａ全体を剪毛（シャリング）したパイル生地（１１）に限らず、表面側11aがループ状のパイル生地（１１）になるよう形成する、或いは、他の吸水性の優れた生地を用いて形成してもよい。
【００５７】
同様に、本実施例に係るハンカチ１０における他方の面Ｙに用いる生地１２についても、上述したローン（１２）に限らず、ガーゼ、細布など他の薄手の生地を用いて形成してもよい。
【００５８】
また、上記ピコット１５を形成するに用いる撚り糸１７の単糸１８には、上述した金糸１８ａに限らず銀糸など他のラメ糸を用いる、或いは、金糸、及び、銀糸を用いて撚り糸17を形成してもよい。
【００５９】
上述の実施形態と、この考案の構成との対応において、この実施形態のローン（１２）は、この考案の綿織物に対応するも、この考案は、上述の実施形態の形態のみに限定されるものではなく、多くの実施の形態を得ることができる。
【図面の簡単な説明】
【００６０】
【図１】本実施形態におけるハンカチを一方の面側から視た外観図。
【図２】本実施形態におけるハンカチを他方の面側から視た外観図。
【図３】本実施形態のハンカチにおける中央部位を、厚み方向の断面について模式的に示した断面図。
【図４】一部を拡大して示した本実施形態のハンカチにおける角部周辺部位の拡大平面図。（ａ）、拡大して模式的に示した図４（ａ）におけるＡ−Ａ端面図（ｂ）。
【符号の説明】
【００６１】
１０…ハンカチ
１０ａ…周縁部
１１…一方の生地（パイル生地）
１２…他方の生地（ローン）
１４ａ…一方の面におけるデザイン
１４ｂ…一方の面におけるデザイン
１５…ピコット
１７…撚り糸
１８…単糸
１８ａ…ラメ糸
Ｘ…一方の側の面
Ｙ…他方の側の面
【図１】
0003115576.tif 000003
【図２】
0003115576.tif 000004
【図３】
0003115576.tif 000005
【図４】
0003115576.tif 000006